(57)【要約】【課題】本発明は  引張り強度の低い不要鉛管であっても地中に残置させることなく撤去し新規管に敷設替えすることを特徴とする非開削方法並びにその装置に関するものである。【解決手段】給水管路から切り放した既設埋設鉛管１の一端１ｂから他端１ｃへ向けて鉛管矯正部材７を貫通させ前記既設鉛管１の変形を真円に矯正し、鉛管矯正部材７の先端に中間支持部材１５、１６を固着した牽引索８を連結し、鉛管矯正部材７を既設鉛管１から引き抜き、同時に牽引索８を既設管内に挿通し引き出した牽引索８の先端を既設鉛管１の一端１ｂに係合させ、連結部材を以て新規管１０とも連結し前記牽引索８を既設鉛管１の他端１ｃ側へ牽引することにより既設鉛管１を引き抜くと共に新規管１０を既設鉛管１の敷設されていた箇所と同箇所に引き込み敷設し新規管１０と前記給水管路を接続するものである。【選択図】          図５
2004190463.tif 000002
【特許請求の範囲】
【請求項１】
給水管路から切り放した既設埋設鉛管の一端から他端へ向けて鉛管矯正部材を貫通させ前記既設鉛管の変形を真円に矯正し、鉛管矯正部材の先端に中間支持部材を固着した牽引索を連結し鉛管矯正部材を既設鉛管から引き抜くと同時に牽引索を該既設鉛管内に挿通し、引き出した牽引索の先端を既設鉛管の一端に係合させ、連結部材を以てポリエチレン管など曲折性の大きい新規管とも連結し前記牽引索を既設鉛管の他端側へ牽引することにより該既設鉛管を引き抜くと共に新規管を既設鉛管の敷設されていた箇所と同箇所に引き込み敷設、該新規管と前記給水管路を接続して既設埋設管を敷設替えする方法。
【請求項２】
請求項１に記載の中間支持部材とは、図６に示すように本体
2004190463.tif 000007
牽引することにより爪形部材が鉛管内壁に突き刺さる形で牽引力を既設鉛管に伝達する爪形中間支持部材と、図７（ｂ）に示すように本体を牽引索に固着し既設鉛
2004190463.tif 000008
部材が本体によって遠心方向に押し広げられ、鉛管内壁に遠心方向荷重が作用して摩擦部材と鉛管内壁の圧着度が高まると共に摩擦抵抗力が増大し牽引力を既設鉛管に伝達する摩擦形中間支持部材からなる既設鉛管の引き抜き装置。
【発明の詳細な説明】
【０００１】
【発明の属する技術分野】
本発明は既設給水用鉛管の敷設替え方法に関する。
【０００２】
【従来の技術】
従来給水管として鉛管が一般的に使用されてきたが、近年鉛成分の有害化が環境基準上問題になっており敷設替えの必要性が高まっている。
【０００３】
このような敷設替えに対しては一般的に既設埋設管上を全て掘削する開削工法がとられてきたが、非開削工法も先行技術として提案されている。
【０００４】
従来の非開削工法には、不要となった埋設鉛管内に芯線材と加熱媒体を挿通し管体を溶融させる事により芯線材と一体化して引き抜く方法がある（例えば、特許文献１参照）。また既設鉛管内に牽引索を挿通し引き出した牽引索の先端を既設鉛管の一端に係合させ牽引索を他端から牽引することにより既設鉛管を引き抜き、同時に新規管を推進工法などにより挿入する方法などがある（例えば、特許文献２参照）。
【０００５】
【特許文献１】
特開平０８−１２８５６６号公報（第１−３頁、図２）
【特許文献２】
特開２００２−０９７８９４号公報（第１−３頁、図５）
【０００６】
【発明が解決する課題】
しかしながら開削工法は交通の障害や騒音公害の元となり、また多くの労力、時間、経費の費やす原因になるなど種々の問題がある。
【０００７】
非開削工法でも加熱媒体を使用する方法は、隣接して埋設されているケーブルや塩化ビニル管など弱熱性の物体に損傷を与える問題があり、また牽引索と既設鉛管の一端だけ係合させて他端から引き抜く方法では、圧縮強度の小さい鉛管では係合させた部分が座屈を引き起こして牽引不能に陥る問題がある。
【０００８】
本発明は、上記問題に鑑み地表を開削することなく、また環境基準上の問題となりえる鉛管を地中に残置させることなくポリエチレン管など曲折性の大きい新規管に敷設替えすることを課題としてなされたものである。
【０００９】
【課題を解決するための手段】
上記目的を達成するために本発明の敷設替えは、まず給水管路から切り放した既設埋設鉛管の一端から他端へ向けて鉛管矯正部材を貫通させ前記既設鉛管の変形を真円に矯正し、鉛管矯正部材の先端に中間支持部材を固着した牽引索を連結し鉛管矯正部材を既設鉛管から引き抜くと同時に牽引索を該既設鉛管内に挿通し、引き出した牽引索の先端を既設鉛管の一端に係合させ、連結部材を以てポリエチレン管など曲折性の大きい新規管とも連結し前記牽引索を既設鉛管の他端側へ牽引することにより該既設鉛管を引き抜くと共に新規管を既設鉛管の敷設されていた箇所と同箇所に引き込み敷設、該新規管と前記給水管路を接続して既設埋設管を敷設替えする方法。
【００１０】
上記に記載の中間支持部材とは、図６に示すように本体を牽引索に固着し既設
2004190463.tif 000003
鉛管内壁に突き刺さる形で牽引力を既設鉛管に伝達する爪形中間支持部材と、図７（ｂ）に示すように本体を牽引索に固着し既設鉛管内に挿通した後、それと反対
2004190463.tif 000004
られ、鉛管内壁に遠心方向荷重が作用して摩擦部材と鉛管内壁の圧着度が高まると共に摩擦抵抗力が増大し牽引力を既設鉛管に伝達する摩擦形中間支持部材からなる既設鉛管の引き抜き装置。
【００１１】
従って、この発明によれば地中に埋設された鉛管は中間支持部材を固着した牽引索により地中に遺留物を残地させることなく全て引き抜かれて、環境基準上の問題は解決される。また管内に挿通した牽引索は、その管路に沿って容易にに曲折するので曲折した管路であっても引き抜くことができる。
【００１２】
【発明の実施の形態】
次に、本発明の実施の形態を実施例にもとずき図面を参照して説明する。
図１は本発明の実施概要図である。図２〜図５は敷設替え方法の工程を示すものであり図６〜図８は中間支持部材の形状を示すものである。
【００１３】
図２において、１は地中に埋設された鉛管を示す。この鉛管１は例えば配水本管２の分水栓３と各末端供給先の止水栓４との間に配管された給水管で図示例の場合、中間部に屈曲部（１ａ）が設けられている。
【００１４】
そしてこの鉛管１は敷設替えにあたり分水栓３と止水栓４とで完全に切り放されている。なお図中５は分水栓との切り放し部に掘削した作業立坑で、６は止水栓との切り放し部に設けたピットを示す。
【００１５】
最初に図２のように切り放した既設鉛管の歪みや変形を矯正するため矯正部材７を既設鉛管内に回転させながら挿入し鉛管を真円に近くなるよう矯正する。矯正部材７の先端にはネジ山がある弾丸状の鉛管拡張部材がついている。
【００１６】
矯正部材７が貫通したら図３のように該矯正部材７の先端から鉛管拡張部材７ａを取り外し中間支持部材１５、１６を固着した牽引索８を連結し矯正部材７を既設鉛管１から引き抜くと共に牽引索８を該既設鉛管内に挿通させる。
【００１７】
つぎに図４に示すように挿通された牽引索８は既設鉛管１の一端１ｂに取付具１７を以て係合させ、更に連結部材９を以て新規管１０とも連結する。
【００１８】
その後、図５に示すように牽引索８をサポート１１付きのクレーンフックなどで捲上げ牽引することにより既設鉛管１を地中から立坑５の方向に引き抜くと共に新規管１０を既設鉛管１が埋設されていた箇所と同箇所に引き込み敷設する。
【００１９】
そして引き込まれた新設管１０の管内洗浄を行った後、両端をそれぞれ分水栓３と止水栓４に接続し新設管１０の敷設を終了する。
【００２０】
ここで使用する牽引索は曲折する細い管路内でも挿通可能なように、細くても屈曲性と硬度を有する材質とされ、十分な引っ張り強度も有する鋼製ワイヤーや高抗張力を有する合成樹脂繊維製ロープなどが使用される。
【００２１】
また中間支持部材には図６のように爪形部材が鉛管内壁に突き刺さる形で牽引力を鉛管に伝達する爪形中間支持部材と、図７（ｂ）のように摩擦部材が鉛管内壁を遠心方向に押し広げて摩擦力を増大させ牽引力を鉛管に伝達する摩擦形中間支持部材とがある。
【００２２】
爪形中間支持部材は、図６のように牽引索８にナット１５ｄの締めつけにより固着された本体１５ａと、板バネ１５ｃにより本体１５ａに取り付けられた爪形
2004190463.tif 000005
設鉛管に伝達することにより引き抜く装置である。
【００２３】
摩擦中間支持部材は図７のように牽引索８にナット１６ｃの締めつけにより固着した本体１６ａと、板バネ１６ｄなどの突張り材を取り付けた摩擦部材１６ｂによって構成されており摩擦部材１６ｂは本体１６ａに添ってスライド可
2004190463.tif 000006
さるように抵抗する為、摩擦部材１６ｂは本体１６ａによって遠心方向に押し広げられ、鉛管内壁にも遠心方向荷重が作用して摩擦部材１６ｂと鉛管内壁の圧着度が高まると共に摩擦抵抗力が増大し牽引力を既設鉛管に伝達することにより引き抜く装置である。
【００２４】
以上説明したように鉛管１のような細い管であっても鉛管１内に挿通した中間支持部材１５、１６を固着した牽引索８を牽引することで管を引き抜くことができ、またポリエチレン管など曲折性の大きな新規管を連結することで既設埋設管と新規管を同時に敷設替えする事ができる。
【００２５】
【発明の効果】
本発明は、以上説明したように小口径埋設管の敷設替えであっても、地表を開削する事なく管路の両端に立坑を掘削するだけで実施でき交通障害や騒音公害を減らし、また労力や時間、経費も削減すると共に鉛管を地中から完全に引き抜くことにより環境基準上の問題も解決されるという効果がある。
【図面の簡単な説明】
【図１】本発明の概要を示す縦断面図である。
【図２】本発明の初期工程である既設埋設鉛管の矯正を示す縦断面図である。
【図３】既設鉛管の一端から他端へ向けて牽引索を挿通する工程を示す縦断面図である
【図４】既設鉛管の内部に牽引索を挿通し新規管との連結を示す縦断面図である。
【図５】牽引索を捲き上げる工程を示す縦断面図である。
【図６】爪形中間支持部材の実施例を示すもので（ａ）はその要部を示す縦断面図であり（ｂ）は（ａ）のＡ−Ａ線断面図である。
【図７】摩擦形中間支持部材の実施例を示すもので、（ａ）は挿通実施例を示す縦断面図であり、（ｂ）は牽引実施例を示す縦断面図である。
【図８】摩擦形中間支持部材の詳細を示すもので、（ａ）はその本体の縦断面図であり、（ｂ）は（ａ）のＡ−Ａ線断面図で、（ｃ）は（ａ）のＢ−Ｂ線断面図である。また（ｄ）は摩擦部材を示す平面図であり、（ｅ）は（ｄ）のＣ−Ｃ線断面図で、（ｆ）は（ｄ）のＤ−Ｄ線断面図である。
【符号の説明】
１  地中の埋設鉛管
２  配水本管
３  分水栓
４  止水栓
５  作業立坑
６  ピット
７  既設鉛管矯正部材
８  牽引索
９  連結部材
１０  新規管
１１  クレーンなどの滑車付きサポート
１２  牽引索引部材
１３  捲上げフック
１４  鉛管分離カッター
１５  爪形中間支持部材
１６  摩擦形中間支持部材
１７  取付具
【図１】
2004190463.tif 000009
【図２】
2004190463.tif 000010
【図３】
2004190463.tif 000011
【図４】
2004190463.tif 000012
【図５】
2004190463.tif 000013
【図６】
2004190463.tif 000014
【図７】
2004190463.tif 000015
【図８】
2004190463.tif 000016